(57)【要約】  本発明は、電力消耗装置（１４）を起動するためにコンタクトレスで印加する一つまたはそれ以上の可動部材（６）を有する冷蔵庫（１）に関する。本発明による冷蔵庫（１）は交流電圧主電力供給源（８）に接続される第一電気回路（７）を備えたキャビネット（２）を有し、かつ第二電気回路（１１）を備えたキャビネット（２）に連結可能な可動部材（６）を有する。前記冷蔵庫（１）は、第二電気回路（１１）が第一電気回路（７）によりコンタクトレスで印加され、かつ電気エネルギを電力消耗装置（１４）へ供給することを特徴とする。【選択図】図１
2009507203.tif 000002
【特許請求の範囲】
【請求項１】
交流電圧主電力供給源（８）に接続される第一電気回路（７）を備えたキャビネット（２）を有し、第二電気回路（１１）を備えたキャビネット（２）に連結可能な可動部材（６）を有する冷蔵庫（１）において、
第二電気回路（１１）は第一電気回路（７）によりコンタクトレスで印加されかつ電気エネルギを電力消耗装置（１４）へ供給することを特徴とする、冷蔵庫。
【請求項２】
第一電気回路（７）は、前記キャビネット（２）の一部を形成する外壁（３）とコンパートメント（５）の表面を形成する内壁（４）との間に設置されたインダクタ（９，９’）を含む、請求項１の冷蔵庫。
【請求項３】
第一インダクタ（９）は第一強磁性素子を包囲する第一電気コイル（１０）を含む、請求項２の冷蔵庫。
【請求項４】
前記主電力供給源（８）は、予め設定した周波数で交流電圧を第一インダクタ（９，９’）に提供できる振動回路（１５）を含む、請求項２または３の冷蔵庫。
【請求項５】
第一インダクタ（９’）は、前記コンパートメント（５）内で垂直方向に延在する、請求項２の冷蔵庫。
【請求項６】
第一インダクタ（９’）は、伝導性材料により形成された細長いループ巻線によって形成されている、請求項５の冷蔵庫。
【請求項７】
第一電気回路（１１）は前記可動部材（６）に連結された第二インダクタ（１２，１２’）を含む、請求項１から６のいずれか１の冷蔵庫。
【請求項８】
第二インダクタ（１２，１２’）は、第二強磁性素子を包囲する電気コイル（１３）を含む、請求項７の冷蔵庫。
【請求項９】
第二インダクタ（１２’）は、横断線バー（２３）から突出した三つの離隔アーム（２１）を有する、請求項７または８の冷蔵庫。
【請求項１０】
第一および第二インダクタ（９，９’，１２，１２’）は相互に対して対面している、請求項２または７の冷蔵庫。
【請求項１１】
前記アーム（２１）は、第一インダクタ（９’）の一部を受けることのできる二つのスロット（２２）を形成している、請求項５または９の冷蔵庫。
【請求項１２】
前記可動部材（６）は、棚（１９）または引き出し（２０）のような足支持装置である、請求項１から１１のいずれか１の冷蔵庫。
【請求項１３】
前記可動部材（６）は、コンパートメント（５）を封入するドア（１６）である、請求項１から１１のいずれか１の冷蔵庫。
【請求項１４】
前記電力消耗装置（１４）はモータ手段である、請求項１から１３のいずれか１の冷蔵庫。
【請求項１５】
前記電力消耗装置（１４）は発光ユニット（１８）である、請求項１から１３のいずれか１の冷蔵庫。
【請求項１６】
前記電力消耗装置（１４）はファンである、請求項１から１３のいずれか１の冷蔵庫。
【請求項１７】
前記電力消耗装置（１４）は前記可動部材（６）に取外し可能に連結されている、請求項１から１６のいずれか１の冷蔵庫。
【請求項１８】
前記電力消耗装置（１４）は前記可動部材（６）に合体されている、請求項１から１７のいずれか１の冷蔵庫。
【発明の詳細な説明】
【技術分野】
【０００１】
本発明は、電力消耗装置を起動するためにコンタクトレス（contactlessly=非接触)印加される一つまたはそれ以上の可動部材を有する冷蔵庫に関する。
【背景技術】
【０００２】
本明細書で使用される「冷蔵庫」の用語は、温度が通常０°Ｃよりも高い冷蔵キャビネット、および温度が０°Ｃ以下を維持するフリーザー、およびその組合せを意味する。
【０００３】
ファン（fan=送風機）、ディスプレイまたは光源等の手段を印加するために冷蔵室内に電力供給を行き渡らせる必要性があることは既知である。今日の冷蔵庫において、かかる電力供給は、かかる電力を冷蔵室内に設置された電気端子へ配送する主電力に電気的に接続するワイヤにより提供される。かる解決策の欠点は、通常湿度の高い冷蔵室内の潜在的に危険な電力分散に対して十分なレベルの安全性を保証できない点にある。使用者に対する他の危険は、かかる解決策が、食物コンテナ、取外し可能棚、または冷蔵室ドアのごとき可動部材に電力を分配するために使用されるときに生じる。これは、使用者が、可動部材の移動によりプラグが外れた状態の電気コンタクトに偶然接触することがあることによる。
【０００４】
電気的に印加される棚を備えた冷蔵庫が、欧州特許出願第ＥＰ１５０３１５９号に開示されている。この出願書類において、冷蔵室内に設置されかつ電力源に電気的に接続された電力バスを含む冷蔵庫が記載されている。コネクタが取外し可能棚上に設けられる。取外し可能棚が冷蔵室内に取付けられるときに、コネクタは取付け可能棚へ電力を配送するために電力バスに接続される。
【０００５】
ＥＰ１５０３１５９に記載の解決策は、使用者に対して潜在的危険源である冷蔵室内の電力分散の上述の危険を解消しない。更に、コネクタの信頼性は、この明細書に説明されているように冷蔵引出しの場合のように接続／切断の複数周期の後に低下する。
【０００６】
ＥＰ１５０３１５９に開示の解決策の他の欠点は、棚がコネクタを利用できる場所に設置され得る、即ち選択された位置においてのみ利用可能であることである。この構成により、冷蔵室内の棚の位置調整は、冷蔵室の垂直方向に沿って連続的に行うことができない。
【０００７】
【特許文献１】欧州特許出願第ＥＰ１５０３１５９号
【発明の開示】
【発明が解決しようとする課題】
【０００８】
従って、本発明の課題は、上記欠点を解決することにあり、冷蔵室内の電力分散の危険を解消する冷蔵庫を提供することにある。
【０００９】
本発明の他の課題は、電力が安全性の改良された冷蔵庫のキャビネットへ連結されたいずれの可動部へも配送できる冷蔵庫を提供することにある。
【００１０】
本発明のもう一つの課題は、信頼性の改良された電力配送手段を有する冷蔵庫を提供することにある。
【００１１】
更に、本発明の他の課題は組立てが容易な冷蔵庫を提供することである。
【００１２】
本発明の利点、課題および特徴は続く説明から明らかにされる。本発明の課題および利点は特許請求の範囲に記載の発明により具体化されかつ達成される。
【課題を解決するための手段】
【００１３】
本発明による冷蔵庫は、交流電圧主電力供給源に接続される第一電気回路を備えたキャビネットを有し、第二電気回路を備えたキャビネットに連結可能な可動部材を有する冷蔵庫において、第二電気回路は第一電気回路によりコンタクトレスで印加されかつ電気エネルギを電力消耗装置へ供給することを特徴とする。
【００１４】
好適形態において、第一電気回路は、前記キャビネットの一部を形成する外壁とコンパートメントの表面を形成する内壁との間に設置されたインダクタを含む。
【００１５】
好適形態において、第一インダクタは、第一強磁性素子を包囲する第一電気コイルを含む。
【００１６】
好適形態において、前記主電力供給源は、予め設定した周波数で交流電圧を第一インダクタに提供できる振動回路を含む。
【００１７】
好適形態において、第一インダクタは、前記コンパートメント内で垂直方向に延在する。
【００１８】
好適形態において、第一インダクタは、伝導性材料により形成された細長いループ巻線によって形成されている。
【００１９】
好適形態において、第一電気回路は前記可動部材に連結された第二インダクタを含む。
【００２０】
好適形態において、第二インダクタは、第二強磁性素子を包囲する電気コイルを含む。
【００２１】
好適形態において、第二インダクタ）は、横断線バーから突出した三つの離隔アームを有する。
【００２２】
好適形態において、第一および第二インダクタは相互に対して対面している。
【００２３】
好適形態において、前記アームは、第一インダクタの一部を受けることのできる二つのスロットを形成している。
【００２４】
好適形態において、前記可動部材は、棚または引出しのような足支持装置である。
【００２５】
好適形態において、前記可動部材は、コンパートメントを封入するドアである。
【００２６】
好適形態において、前記電力消耗装置はモータ手段である。
【００２７】
好適形態において、前記電力消耗装置は発光ユニットである。
【００２８】
好適形態において、前記電力消耗装置はファンである。
【００２９】
好適形態において、前記電力消耗装置は前記可動部材に取外し可能に連結される。
【００３０】
好適形態において、前記電力消耗装置は前記可動部材に合体されている。
【発明を実施するための最良の形態】
【００３１】
添付図面は本発明の更なる理解のために提供され、本明細書の一部を構成し、本発明の可能実施形態を表示し、かつ次の説明と共に本発明の原理を説明するのに役立つ。
【００３２】
図１を参照すると、冷蔵庫１の第一実施形態は、冷蔵または冷凍するために食物を保存するコンパートメント５を形成する外壁３および内壁４を有するキャビネット２を含む。図１において、コンパートメント５を閉鎖する冷蔵庫のドアは引き出しを判り易くするために除去されている。好適形態の棚１９内の可動部材６は、複数の部分にコンパートメント５を分割するためにコンパートメント５内に設けられる。各棚１９は、所望によりコンパートメントを調整するために既知方法により複数の位置に設置できる。キャビネット２は、交流電圧主電力供給源８に接続される第一電気回路を有し、主電力供給源は第一インダクタ９へ電力を供給する。各インダクタ９は、第一電気コイルが周りに巻き付けられた第一強磁性素子を含んでよい。インダクタ９は、好適には、コンパートメント５の一部を形成する外壁３と内壁４との間に設置され、このようにしてインダクタ９はコンパートメント５の内側からもキャビネット２の外側からも見えないようになっている。
【００３３】
各可動部材６は、第二インダクタ１２を有する第二電気回路１１を含み、好適には、第二電気コイル１３に包囲された第二強磁性素子を含む。第二電気回路１１は、第一電気回路７によってコンタクトレスで印加され、かつかかる電力は第二電気回路１１に連結された電力消耗装置１４に供給される。図１において、電力消耗装置１４は、ランプまたはＬＥＤのような発光ユニットの形態であるが、モータ手段またはファンの形態で同様に設けられてよい。モータ手段は、例えば、コンパートメント５内に設置されたアイスクリーム機械に有利に使用できる。ファンは、均一温度分布を得るためにコンパートメント５内の乱気流を増大するために設けられてよい。
【００３４】
電力消耗装置１４を起動するために電気エネルギが第一電気回路７から第二電気回路１１へ、相互に対して対面する第一および第二インダクタ９，１２によりコンタクトレスで伝達される。インダクタ９，１２は、冷蔵庫の壁厚により、空気ギャップによって遮断される磁気回路を形成する。従って、第一および第二インダクタ９，１２は電気変圧器を形成し、そこで第二電気回路１１は電力消耗装置１４に連結される。
【００３５】
観察されるように、第一電気回路７から第二電気回路１１へコンタクトレスで伝達される電気エネルギの最良効率は、磁気回路がその共振周波数またはそれに近い周波数で動作するときに得られる。この理由から、交流電圧主電力供給源８は共振周波数である予め設定された周波数で必要な電力を供給できる振動回路１５を含むのが好ましい。
【００３６】
電力消耗装置１４は、可動部材６に取外し可能に連結されるか、またはそれ自体可動部材６に合体されてよい。第一事例において、適宜コネクタ手段が可動部材６上および電力消耗装置１４上に設けられ、第二電気回路１１と電力消耗装置１４との間の電気的接続を可能にし、他方、第二事例において、電力消耗装置１４は第二電気回路１１と共に可動部材６に合体されてよい。
【００３７】
図２において、冷蔵庫の第二実施形態が示されている。かかる実施形態において、交流電圧主電力供給源８に接続された第一電気回路７は、第一電気コイル１０が周りに巻き付けられた第一強磁性素子を好適には含む第一インダクタ９を含む。第一インダクタ９は、キャビネット２の外壁と、ドア１６の形態の可動部材６により封入可能または封鎖可能であるコンパートメント５の表面を形成する内壁４との間に設置される。ドア１６の上縁上に、電気コイル１３で包囲された第二強磁性素子を有するのが好ましい第二インダクタ１２を含む第二電気回路１１が設けられている。ドア１６が閉鎖位置のときに電力が第一電気回路７から第二電気回路１１へコンタクトレスで伝達されるように、第二インダクタ１２は第一インダクタ９と対面する。このようにして、第二電気回路１１と電気的に接触している例えばＬＥＤパネル１８等の電力消耗装置１４は、印加さる。ドア１６の外面上に設けられた窓１７は、使用者がＬＥＤパネル１８により照明されるコンパートメント５内を見ることができる。
【００３８】
図３において、可動部材６が棚の形態、そして引出し２０の形態であるときに、第一および第二インダクタ９，１２の可能構成を有する冷蔵庫１が概略的に示されている。図３において、冷蔵庫のドア、電力消耗装置１４、第一電気回路７、および第二電気回路１１は省略されている。電力を冷蔵庫キャビネットから可動棚１９へ伝達するためにインダクタ９，１２の構成は、図１と同様である。引出し２０の場合に、好適には第一コイル１０を担持する第一強磁性素子を有する第一インダクタ９は、キャビネット２の外壁３とコンパートメント５の表面を形成する内壁４との間に設置される。第二電気コイル１３を担持する第二強磁性素子を有する第二インダクタ１２は、引出し２０がコンパートメント５内へ完全に挿入されるときに、第一インダクタ９と対面する位置で引出し２０に連結される。この位置において、電気エネルギは、キャビネット２から引出し２０へコンタクトレスで伝達される。かかる電力供給は、引出し２０が完全にコンパートメント５の内側になり、それにより引出し２０内に空気循環が生じる場合にのみ、ファン（図示せず）を起動するために使用できる。
【００３９】
図１および３において、棚１９は、棚１９が特に予め設定された位置に設置されるときにのみコンタクトレスで印加され、この位置は冷蔵庫１に固定された第一インダクタ９の変位に対応する。使用者がコンパートメント５の垂直方向に沿って棚を連続的に移動することを望む場合には、第一および第二インダクタの特別設計が採用されている。かかる設計は図４および５に示されているが、第一および第二電気回路は図示されていない。
【００４０】
図４において、冷蔵庫は背後にキャビネット２の外壁とコンパートメント５の内壁４との間の領域に、コンパートメント５内で垂直方向に延在する第一インダクタ９’を有する。図５の拡大概略図に最良に示されたように、第一インダクタ９’は、印加されるときに細長い形状を有する磁界を形成する伝導性材料により形成される細長いループ巻線（例えばホウロウ引き銅）によって形成される。棚１９は、横断線バー２３から突出した三つの離隔アーム２１を有する第二インダクタ１２’に連結され、かつ好適には、電気コイルに包囲された強磁性素子を含む。かかるアーム２１は、第一インダクタ１２’の一部を受ける構成の二つのスロットを形成し、そのようにして電力は、第一インダクタ９’に接続された第一回路から第二インダクタ１２’に連結された第二回路へコンタクトレスで伝達され得る。
【００４１】
図４および５に示された構成により、各棚１９は矢印「Ｕ」および「Ｄ」で示されたように上方または下方へ独立に移動できる。このような移動は、棚１９に連結され有利には第二回路により印加されるモータ手段により提供される。更に、発光ユニット等の電力消耗装置１４は、それらの棚に合体されるかまたは取外し可能に連結されてよい。
【００４２】
結論として、本発明による冷蔵庫１は、冷蔵庫のキャビネットに連結された可動部材を印加するために如何なるコネクタも必要としないので、安全性の程度が改良されている。提案された解決策は、また、冷蔵庫の組立を単純化し、必要とされる部品点数を少なくする点で有利である。
【００４３】
本発明は、本発明の精神および必須の特徴から逸脱することなく幾つかの形態で具体化できるので、上記実施形態は上述の詳細な説明により制限されず、むしろ特許請求の範囲に記載の精神および範囲内で広く解釈されるべきであり、従って、特許請求の範囲に属する変更および改良は本発明の範囲に含まれることが意図されている。
【図面の簡単な説明】
【００４４】
【図１】本発明による冷蔵庫の第一実施形態の概略斜視図を示す。
【図２】本発明による冷蔵庫の第二実施形態の概略斜視図を示す。
【図３】異なるタイプの可動部材を有する冷蔵庫内の第一および第二インダクタの可能構成の概略斜視図を示す。
【図４】コンパートメント内で垂直方向に延在する第一インダクタ、およびそれに連結された第二インダクタを有する図１に示された冷蔵庫の概略斜視図を示す。
【図５】図４に示された第一および第二インダクタの拡大した概略斜視図を示す。
【図１】
2009507203.tif 000003
【図２】
2009507203.tif 000004
【図３】
2009507203.tif 000005
【図４】
2009507203.tif 000006
【図５】
2009507203.tif 000007
【国際調査報告】
2009507203.tif 000008
2009507203.tif 000009